(57)【要約】【課題】低解像度のカメラでも読み取ることができ、ピントや読み込み角度や接写読み込みの必要性などを考慮することなく簡単に読み込むことができ、さらに高品質での印刷も不要で表示サイズの制限も緩いようなコードを用いて顧客に再利用可能なＵＲＬでのレシピ情報提供を行うことができる技術を提供することを目的とする。【解決手段】カメラ付き携帯型端末で、商品である食材に対応して表示されているカラーコードを撮影する。携帯型端末は該カラーコードの画像をデコードしてカラーコード番号を取得し中間サーバに転送する。携帯型端末は、中間サーバから返送されるＵＲＬに基づき、レシピサーバにアクセス要求を発行する。それに応じてレシピサーバから提供される料理情報および／またはレシピ情報を携帯型端末にて表示する。必要に応じてメールで料理情報および／またはレシピ情報が提供されるようにしてもよい。【選択図】図１
0003128992.tif 000002
【実用新案登録請求の範囲】
【請求項１】
カメラ付き携帯型端末装置で撮影して得られた画像をデコードすることによりコード情報を得ることができるバーコードであって、複数のデータセルの各々に複数の色彩を表示することでコード情報を埋め込んだバーコードである、カラーコードを利用したレシピ情報提供システムにおいて、
カメラ付き携帯型端末装置と中間サーバとレシピサーバとを備え、
前記カメラ付き携帯型端末装置は、
商品である食材に対応して表示されているカラーコードを撮影する手段と、
撮影したカラーコードの画像をデコードしてカラーコード番号を取得する手段と、
該カラーコード番号を前記中間サーバに転送する手段と、
前記中間サーバから返送されるＵＲＬに基づき、前記レシピサーバにアクセス要求を発行する手段と、
前記レシピサーバから提供される料理情報および／またはレシピ情報を表示する手段と
を備え、
前記中間サーバは、
各カラーコード番号に対応するＵＲＬを格納したカラーコード番号データベースと、
前記カメラ付き携帯型端末装置から転送された前記カラーコード番号に対応するＵＲＬを前記カラーコード番号データベースから取得し、前記カメラ付き携帯型端末装置に返送する手段と
を備え、
前記レシピサーバは、
前記カメラ付き携帯型端末装置からのアクセス要求に応じて、前記撮影されたカラーコードに対応する料理情報および／またはレシピ情報を前記カメラ付き携帯型端末装置に送信する手段を
備えることを特徴とするレシピ情報提供システム。
【請求項２】
請求項１に記載のレシピ情報提供システムにおいて、
前記カメラ付き携帯型端末装置は、表示された料理情報および／またはレシピ情報を含むメールの送信要求を、前記レシピサーバに発行する手段を備え、
前記レシピサーバは、該メールの送信要求に応じて、要求された料理情報および／またはレシピ情報を含むメールを、前記カメラ付き携帯型端末装置に送信する手段を備えることを特徴とするレシピ情報提供システム。
【考案の詳細な説明】
【技術分野】
【０００１】
本考案は、携帯電話などの携帯端末でカラーコードを読み込み、対応するレシピ情報を返送して該携帯端末に表示させるレシピ情報提供システムに関する。
【背景技術】
【０００２】
従来より、カメラ付き携帯電話で広告に印刷されたＱＲコード（登録商標）などの２次元バーコードを読み取り、読み取ったデータを解析することにより取得したＵＲＬに接続し、該携帯電話で各種の情報を表示するＷｅｂサイトへのアクセス方式が知られている。２次元バーコードとは、白黒のパターンを２次元に図案化して全方位からの読み取りを可能にしたバーコードである。
【０００３】
例えば、非特許文献１には、携帯電話のカメラで広告などの印刷物に表示されているＱＲコードを読み取り、該ＱＲコードの示すＵＲＬへ簡単に接続し、レシピ情報を取得できるシステムが開示されている。
【０００４】
また、特許文献１には、食品の価格などを表示し該食品に添付されて利用されるプライスシールに２次元コードを印刷しておき、消費者は該２次元コードを携帯電話などで読み取り、対応するレシピ情報のホームページへ誘導するシステムが開示されている。特許文献２にも、同様の２次元バーコードを利用した効果的な情報提供を行う情報提供システムが開示されている。
【特許文献１】特開２００６−１７１１３７
【特許文献２】特開２００６−２３６２２７
【非特許文献１】http://www.mycaltown.com/myrecipe/
【考案の開示】
【考案が解決しようとする課題】
【０００５】
上述した従来技術は、何れも白黒のパターンからなる２次元バーコードにより表現されるＵＲＬへ簡単に接続できるようにすることにより各種の情報を提供するものである。しかし、２次元バーコード自体が表現するＵＲＬへ接続するだけなので、例えば別のＵＲＬに切り替えたい場合などに対処することができない。また、２次元バーコードは、(1)低解像度カメラでは認識が難しい、(2)斜めから読み取ることが難しくローレコーディングレンジである、(3)接写読み込みをする必要がある、などの使い勝手の悪さを有する。さらに、２次元バーコードは、高品質での印刷が必要であり、表示サイズに制限があるという不都合もある。
【０００６】
本考案は、低解像度のカメラでも読み取ることができ、ピントや読み込み角度や接写読み込みの必要性などを考慮することなく簡単に読み込むことができ、さらに高品質での印刷も不要で表示サイズの制限も緩いようなコードを用いて顧客に再利用可能なＵＲＬでの情報提供を行うことができる技術を提供することを目的とする。
【課題を解決するための手段】
【０００７】
上記目的を達成するため、請求項１に係る考案は、カメラ付き携帯型端末装置で撮影して得られた画像をデコードすることによりコード情報を得ることができるバーコードであって、複数のデータセルの各々に複数の色彩を表示することでコード情報を埋め込んだバーコードである、カラーコードを利用したレシピ情報提供システムにおいて、カメラ付き携帯型端末装置と中間サーバとレシピサーバとを備え、前記カメラ付き携帯型端末装置は、商品である食材に対応して表示されているカラーコードを撮影する手段と、撮影したカラーコードの画像をデコードしてカラーコード番号を取得する手段と、該カラーコード番号を前記中間サーバに転送する手段と、前記中間サーバから返送されるＵＲＬに基づき、前記レシピサーバにアクセス要求を発行する手段と、前記レシピサーバから提供される料理情報および／またはレシピ情報を表示する手段とを備え、前記中間サーバは、各カラーコード番号に対応するＵＲＬを格納したカラーコード番号データベースと、前記カメラ付き携帯型端末装置から転送された前記カラーコード番号に対応するＵＲＬを前記カラーコード番号データベースから取得し、前記カメラ付き携帯型端末装置に返送する手段とを備え、前記レシピサーバは、前記カメラ付き携帯型端末装置からのアクセス要求に応じて、前記撮影されたカラーコードに対応する料理情報および／またはレシピ情報を前記カメラ付き携帯型端末装置に送信する手段を備えることを特徴とする。
【０００８】
請求項２に係る考案は、請求項１に記載のレシピ情報提供システムにおいて、前記カメラ付き携帯型端末装置は、表示された料理情報および／またはレシピ情報を含むメールの送信要求を、前記レシピサーバに発行する手段を備え、前記レシピサーバは、該メールの送信要求に応じて、要求された料理情報および／またはレシピ情報を含むメールを、前記カメラ付き携帯型端末装置に送信する手段を備えることを特徴とする。
【考案の効果】
【０００９】
本考案によれば、カラーコードを用いることにより、低解像度のカメラでも読み取ることができ、ピントや読み込み角度や接写読み込みの必要性などを考慮することなく簡単に読み込むことができ、さらに高品質での印刷も不要で表示サイズの制限も緩いようなコードを用いて顧客に再利用可能なＵＲＬでのレシピ情報提供を行うことができる。これにより、レシピで使用する食材の販売促進に役立つというメリットがある。
【考案を実施するための最良の形態】
【００１０】
以下、図面を用いて本考案の実施の形態を説明する。
【００１１】
図１は、本考案に係るレシピ情報提供システムの全体構成を示す。予めユーザに配布する食品の広告１０１中のレシピ情報を提供したい食材の近くに、カラーコード１０２を印刷しておく。カラーコードについては後に詳しく説明する。ユーザは、カメラ付携帯電話１０３のカメラでカラーコード１０２を撮影する。カメラ付き携帯電話１０３は、撮影により取得したカラーコード１０２の画像をデコードし、該カラーコード１０２が示すカラーコード番号を取得する。さらに、携帯電話１０３は、予め決められている中間サーバ１０４に、携帯電話１０３で読み取ったカラーコード番号を転送する。この転送は、要するに、カラーコード番号をパラメータとして含むリクエストを発行して中間サーバ１０４の所定のＵＲＬにアクセスする処理である。中間サーバ１０４は、そのカラーコード番号に対応する商品ＩＤをパラメータとして含むＵＲＬを携帯電話１０３に転送する。
【００１２】
携帯電話１０３は、当該商品ＩＤをパラメータとして含むＵＲＬに自動的にアクセスする。そのＵＲＬは、レシピサーバ１０５を示すアドレスになっており、当該商品ＩＤで特定される商品の料理情報が記載されたページを示すアドレスになっている。このＵＲＬにアクセスすることにより、携帯電話１０３には、当該商品の料理情報が表示される。表示される料理情報は、当該商品（食材）を利用した各種の料理のリストを含む。ユーザが、表示された料理リストから任意の料理を選択すると、再びレシピサーバ１０５にアクセスし、選択された料理の詳細なレシピ情報が携帯電話１０３に表示される。
【００１３】
図２は、携帯電話１０３における表示例を示す。図２（ａ）は、携帯電話１０３のカメラでカラーコードを撮影したときのディスプレイ２００上の撮影結果を示す。２０１に撮影したカラーコードが表示されている。図２（ａ）の画面から中間サーバ１０４へのアクセスは、撮影後に自動的に行うようにしてもよいし、画面２００のカラーコード２０１の下側などに中間サーバ１０４のＵＲＬを表示し、ユーザにクリックさせることにより中間サーバ１０４へアクセスするようにしてもよい。
【００１４】
図２（ｂ）は、中間サーバ１０４から送信されたＵＲＬ（レシピサーバ１０５）にアクセスして取得した料理情報のページを携帯電話１０３の画面２００に表示した例である。２１１は、当該カラーコード番号に対応する商品である食材の写真などの表示である。２１２は、その食材を利用した料理のリストである。このメニュー２１２の中からユーザが１つを選択すると、レシピサーバ１０５内の当該料理のレシピ情報のページが表示される。図２（ｃ）は、そのようなレシピ情報の表示例である。料理の出来上がりなどの写真２１３の下に、その料理の材料リスト２１３が表示され、さらにその料理の作り方２１５が表示される（画面内に表示情報が納まらない場合は、スクロールすることにより表示できる）。材料リスト２１４により、ユーザは、その料理を作るのにどのような食材をどれだけ購入すればよいか分かる。従って、販売店側にとってみると、メインとなる食材以外の材料の販売促進につながるというメリットがある。
【００１５】
図２（ｄ）は、図２（ｃ）の画面からスクロールして画面の最下段にメール送信指示２１６が表示された様子を示す。ユーザがこのメール送信２１６を選択すると、当該レシピ情報が当該携帯電話１０３にメールされる。受信したメールはいつでも参照できるので、ユーザは購入リストやレシピを参考にすることができる。
【００１６】
図３を参照してカラーコードの構成について説明する。図３（ａ）は、カラーコードのセル構成例である。カラーコードは、所定数の縦方向および横方向のブロックから構成される。図３（ａ）は５×５のブロックの構成である。１つのブロックをセルと呼ぶ。図３（ａ）において、左上の４×４のセルＤ１１〜Ｄ４４はデータを示すセルであり、Ｐ１ｒ〜Ｐ４ｒは各行のパリティデータ、Ｐ１ｃ〜Ｐ４ｃは各列のパリティデータを示す。Ｐｒｃは、カラーコードのポジションを検出するためのポジションセルである。各データセルは、例えば赤、緑、青、または黒の４色の何れかをとる。これにより、４×４のデータセルとポジションセルで、約１７１億通り（４の１７乗）のパターンが表現できる。さらにセル数を増やすことにより拡大が可能である。カラーコードは、物理的には面上に構成されるので２次元ではあるが、いわゆる２次元コード（例えばＱＲコード（登録商標）など）ではない。１つのセルが複数色の何れかをとるので、色方向の次元があるからである。なお、カラーコードについては、例えば特許第３３３６３１１号などに記載がある。
【００１７】
図３（ｂ）は、５×５のカラーコードの印刷例を示す。図では、各セル部分を斜線などの塗りつぶしパターンで表現したが、上述したように実際のカラーコードでは各セルは例えば赤、緑、青、黒の４色の何れかをとる。図３（ｃ）は、５×８ブロックのカラーコードの例を示す。なお、使用する色の組み合わせやカラーコードの印刷物上での大きさは任意である。ただし、カメラ付き携帯電話で撮影した際に画面上で数ｍｍ程度から画面内に収まる範囲内の大きさであることが必要である。
【００１８】
カラーコードは、コンテンツの情報量によらず、例えば最小で３ｍｍ×３ｍｍのコードでも読み取りが可能である。また、２次元コードのように詳細な形状認識ではなく色認識であるため、カメラ性能や印刷品質に頼ることなく認識率が高い。それ程ピントが合わなくても認識可能である。また、読み込み角度の意識が不要（斜めからでも読み込み可能）であるというワイドレコーディングレンジを持つ。接写読み込みも不要である。カラーコードは、広範囲な印刷媒体に付与することが可能である。また、カラーコードでは、色の配列パターンに沿っていれば、自由なデザインが可能であるというメリットもある。そのため、広告全体のイメージや、ロゴやテーマデザインなどの全体のイメージを壊さないようなコードの提供が可能である。
【００１９】
また、カラーコードに対応して提供されるコンテンツ情報は、そのコンテンツ情報が存在するサーバのアドレス（ＵＲＬ）を中間サーバにて管理するようにしているため、カラーコード自体は変更することなく、いつでも当該カラーコードに対応する提供情報を変更することができる。例えば、従来のＱＲコード（登録商標）では、コードそのものがＵＲＬを示しているため、印刷後そのＵＲＬを変更することはできない。さらに、カラーコードの大きさが、そのカラーコードに対応して提供されるコンテンツ情報のサイズに影響されることがない。カラーコードを利用したシステムでは、カラーコードに対応するＵＲＬを中間サーバにて管理しているからである。
【００２０】
図４は、携帯電話１０３と中間サーバ１０４とレシピサーバ１０５との間での処理の手順を示す。携帯電話１０３は、ステップ４０１でカラーコードを読み込む。ステップ４０２で、読み込んだカラーコードをカラーコード番号へデコードする。ステップ４０３で、取得したカラーコード番号を中間サーバ１０４へ転送する。中間サーバ１０４のＵＲＬは予め定められたものとし、該ＵＲＬにパラメータとして上記カラーコード番号を埋め込んでリクエストを発行すればよい。中間サーバ１０４では、ステップ４２１で、携帯電話からのリクエストを待機している。ステップ４２２では、携帯電話１０３から転送されたカラーコード番号を受信し、そのカラーコード番号でカラーコード番号データベースを検索する。
【００２１】
図５に、中間サーバ１０４が備えるカラーコード番号データベースの内容例を示す。このデータベースは、カラーコード番号に対応するＵＲＬを記憶してある。このＵＲＬは、ここでは料理情報のページデータを保持するレシピサーバ１０５のアドレスである。なお、各カラーコード番号に対応するＵＲＬは管理者が任意に設定・変更できる。カラーコード番号に対応するＵＲＬを変更することにより、カラーコード自体は変更することなく、当該カラーコードから表示されるページデータを簡単に変更することができる。
【００２２】
中間サーバ１０４は、ステップ４２３で、図５のデータベースから、転送されたカラーコード番号に対応するＵＲＬを取得する。このＵＲＬには、ＵＲＬパラメタとして商品ＩＤが埋め込まれている。ステップ４２４で取得したＵＲＬを当該携帯電話１０３に返信する。
【００２３】
携帯電話１０３は、ステップ４０４で、そのＵＲＬを受信する。ステップ４０５で、当該ＵＲＬに基づきレシピサーバ１０５にアクセスする。このアクセスは、ユーザに意識させることなく自動で行われる。ただし、受信したＵＲＬを表示し、ユーザに確認させてから該ＵＲＬにアクセスするようにしてもよい。
【００２４】
レシピサーバ１０５は、ステップ４４１で携帯電話からのリクエストを待機している。ステップ４４２で携帯電話１０３からのリクエストを受信すると、ステップ４４３でそのリクエスト中のＵＲＬパラメタに埋め込まれた商品ＩＤを基に料理情報データベースを検索し、商品ＩＤに対応する料理情報ファイルを取得する。ステップ４４４で、取得した料理情報ファイルの内容を携帯電話１０３に返信して表示させる。
【００２５】
図６に、料理情報データベースの内容例を示す。料理情報データベースは、商品ＩＤに対応する料理情報ファイル名を保持している。この料理情報ファイルの内容は、例えば図２（ｂ）の画面２００のようなものである。
【００２６】
携帯電話１０３は、ステップ４０６で料理情報を受信して表示する。これにより、例えば図２（ｂ）の画面２００のような表示が為される。ステップ４０７でメニュー選択されたとき（例えば、図２（ｂ）のメニュー表示２１２から料理を１つ選択する）は、ステップ４０８で、選択された料理のレシピ情報のリクエストをレシピサーバ１０５に送信する。このリクエストは、選択された料理のレシピのレシピ番号をパラメタとして含むものである。レシピサーバ１０５は、ステップ４４５でそのリクエストを受信し、ステップ４４６で当該リクエストに含まれているレシピ番号に応じたレシピ情報をレシピデータベースから取得し、ステップ４４７でそのレシピ情報の内容を携帯電話１０３に送信する。
【００２７】
図７に、レシピデータベースの内容例を示す。レシピデータベースは、レシピ番号に対応するレシピ情報ファイル名を保持している。このレシピ情報ファイルの内容は、例えば図２（ｃ）の画面２００のようなものである。
【００２８】
携帯電話１０３は、ステップ４０９で、受信したレシピ情報を表示する。これにより、例えば図２（ｃ）の画面２００のような表示が為される。ステップ４１０でメール送信が選択されたとき（例えば、図２（ｄ）のメール送信２１６が選択されたとき）は、ステップ４１１で、メール送信のリクエストを送信する。このリクエストは、ステップ４０９で表示したレシピ情報のレシピ番号をパラメタとして含むものである。レシピサーバ１０５は、ステップ４４８でそのリクエストを受信し、ステップ４４９で当該リクエストに含まれているレシピ番号に応じたレシピ情報のメール（当該レシピ情報を本文とするメールでも良いし、当該レシピ情報ファイルを添付したメールでも良い）を当該携帯電話１０３に送信する。ステップ４０７や４１０でユーザがキャンセル（処理の終了）を指示したときには、そのまま処理を終了する。
【００２９】
なお、上記実施の形態では携帯電話を用いた例を説明したが、携帯電話でなく他の携帯型の端末装置を利用することもできる。また、広告などの印刷物にカラーコードを印刷する例を説明したが、例えば店舗に配置された広告表示用のディスプレイ上に表示されたカラーコードを読み取ってレシピ情報を提供するようにしてもよい。
【００３０】
また、上記実施の形態では、始めにカラーコード番号に対応するメニューを携帯電話で表示し、そのメニューの中からユーザにより選択された料理のレシピ情報を提供するようにしているが、カラーコード番号に対応するレシピ情報を直接提供するようにしてもよい。
【図面の簡単な説明】
【００３１】
【図１】本考案に係るレシピ情報提供システムの全体構成図
【図２】携帯電話における表示例を示す図
【図３】カラーコードの説明図
【図４】携帯電話と中間サーバとレシピサーバとの間での処理の手順を示すフローチャート
【図５】カラーコード番号データベースの内容例を示す図
【図６】料理情報データベースの内容例を示す図
【図７】レシピデータベースの内容例を示す図
【符号の説明】
【００３２】
１０１…広告、１０２…カラーコード、１０３…カメラ付携帯電話、１０４…中間サーバ、１０５…レシピサーバ。
【図１】
0003128992.tif 000003
【図２】
0003128992.tif 000004
【図３】
0003128992.tif 000005
【図４】
0003128992.tif 000006
【図５】
0003128992.tif 000007
【図６】
0003128992.tif 000008
【図７】
0003128992.tif 000009